(57)【要約】【課題】発電所やダムの計画種別が運用形態あるいは季節や時間帯によって変更される場合に、手動計算による運用計画の作成にかかる運用者の負担を低減し得る運用計画作成支援システムを提供する。【解決手段】演算部２０は、運用計画を作成するために入力された値を、計画値データベース２１、実績値データベース２３及び設定値データベース２４内の計画値、実績値及び設定値を用いて、発電所及びダムの複数の計画種別のうちの所定の計画種別の値に変換する。そして、演算部２０は、変換した値と、計画値データベース２１及び実績値データベース２３内の計画値及び実績値とに基づいて、発電所及びダムの運用計画を作成する演算を行う。【選択図】図３
2015198553.tif 000002
【特許請求の範囲】
【請求項１】
複数の発電所及びダムを有する連接水系の運用計画作成支援システムにおいて、
前記発電所及びダムの作成済みの運用計画の計画値を保持する計画値データベースと、
前記発電所及びダムの運用の実績値を保持する実績値データベースと、
前記発電所及びダムの設備データと、前記発電所及びダムの計画種別の値の変換を行うための変換テーブルと、を含む設定値を保持する設定値データベースと、
手動計算により運用計画を作成するために入力された値を、前記計画値データベース、前記実績値データベース及び前記設定値データベース内の前記計画値、前記実績値及び前記設定値を用いて、前記発電所及びダムの複数の計画種別のうちの所定の計画種別の値に変換し、前記変換した値と、前記計画値データベース及び前記実績値データベース内の前記計画値及び前記実績値とに基づいて、前記発電所及びダムの運用計画を作成する演算を行う演算部と、を備えた
連接水系の運用計画作成支援システム。
【請求項２】
前記複数の計画種別の中から計画種別を選択し、前記選択した計画種別の値を入力するための入力部を備え、
前記演算部は、前記入力部により入力された値を、前記計画値データベース、前記実績値データベース及び前記設定値データベース内の前記計画値、前記実績値及び前記設定値を用いて、前記所定の計画種別の値に変換し、前記変換した値と、前記計画値データベース及び前記実績値データベース内の前記計画値及び前記実績値とに基づいて、前記発電所及びダムの運用計画を作成する演算を行う
請求項１に記載の連接水系の運用計画作成支援システム。
【請求項３】
表示部を備え、
前記演算部は、
前記計画値データベース及び前記実績値データベース内の前記計画値及び前記実績値を、前記入力部で選択された計画種別の値に変換して前記表示部に表示させ、
前記演算によって作成した運用計画の値を、前記入力部で選択された計画種別の値に変換して前記表示部に表示させる
請求項２に記載の連接水系の運用計画作成支援システム。
【請求項４】
前記演算部は、前記入力された値のうち発電電力及び水位の値を、前記計画値データベース、前記実績値データベース及び前記設定値データベース内の前記計画値、前記実績値及び前記設定値を用いて、流量の値に変換し、前記変換した値と、前記計画値データベース及び前記実績値データベース内の前記計画値及び前記実績値とに基づいて、前記発電所及びダムの運用計画を作成する演算を行う
請求項３に記載の連接水系の運用計画作成支援システム。
【請求項５】
前記発電所及びダムの運用計画の仮計画値を保持する仮計画データベースを備え、
前記演算部は、前記入力された値を、前記計画値データベース、前記実績値データベース及び前記設定値データベース内の前記計画値、前記実績値及び前記設定値を用いて、前記所定の計画種別の値に変換し、前記変換した値と、前記計画値データベース及び前記実績値データベース内の前記計画値及び前記実績値とに基づいて、前記発電所及びダムの前記仮計画値を計算して、前記計算した前記仮計画値を前記仮計画データベースに保存する
請求項１乃至４のいずれか１項に記載の連接水系の運用計画作成支援システム。
【発明の詳細な説明】
【技術分野】
【０００１】
本発明は、複数の発電所及びダムを有する連接水系の運用計画作成支援システムに関し、特に、手動計算による運用計画の作成を支援する運用計画作成支援システムに関する。
【背景技術】
【０００２】
複数の発電所及びダムを有する連接水系の運用計画を作成する方法として、手動計算という方法が存在している。手動計算は、運用者がマニュアルで計算機を操作して連接水系の運用計画を作成する方法である。
【０００３】
従来、手動計算による連接水系の運用計画の作成を支援する運用計画作成支援システムとして、例えば、特許文献１に開示されるシステムが提案されていた。この特許文献１には、連接水系の関連する複数のダムおよび発電所の運用計画を同時に確認しながら夫々のダムおよび発電所の適切な運用計画を手動計算にて作成することが開示されている。
【先行技術文献】
【特許文献】
【０００４】
【特許文献１】特開２００８−１１８８１０号公報
【発明の概要】
【発明が解決しようとする課題】
【０００５】
特許文献１に開示された従来の運用計画作成支援システムでは、運用者が発電所の発電電力及びダムの放流量を入力することにより、発電所及びダムの運用計画が作成される。
しかし、発電所やダムでは、運用形態の変更により、あるいは季節や時間帯により、どのような種類の値によって運用計画を作成するかという計画種別が、発電電力や放流量から発電使用水量や水位に変更される場合がある。このように、運用者が入力する発電電力や放流量と、計画種別である発電使用水量や水位とに相違が生じた場合、運用者は、発電電力や放流量の値を、発電使用水量や水位が目標とする値に近づくように試行錯誤して入力する必要があり、大きな負担となる。
【０００６】
本発明は、上述の点に鑑み、発電所やダムの計画種別が運用形態あるいは季節や時間帯によって変更される場合に、手動計算による運用計画の作成にかかる運用者の負担を低減し得る運用計画作成支援システムを提供することを目的とする。
【課題を解決するための手段】
【０００７】
上記課題を解決し、本発明の目的を達成するため、本発明は、複数の発電所及びダムを有する連接水系の運用計画作成支援システムにおいて、発電所及びダムの作成済みの運用計画の計画値を保持する計画値データベースと、発電所及びダムの運用の実績値を保持する実績値データベースと、発電所及びダムの設備データと、発電所及びダムの計画種別の値の変換を行うための変換テーブルと、を含む設定値を保持する設定値データベースと、手動計算により運用計画を作成するために入力された値を、計画値データベース、実績値データベース及び設定値データベース内の計画値、実績値及び設定値を用いて、発電所及びダムの複数の計画種別のうちの所定の計画種別の値に変換し、変換した値と、計画値データベース及び実績値データベース内の計画値及び実績値とに基づいて、発電所及びダムの運用計画を作成する演算を行う演算部と、を備える。
【発明の効果】
【０００８】
本発明によれば、運用者が任意の計画種別の値を入力すれば、その入力した値が所定の計画種別の値に変換されて、発電所及びダムの運用計画を作成する演算が行われる。したがって、発電所やダムの計画種別が変更される前は、変更前の計画種別の値を入力すれば運用計画を作成することができる。発電所やダムの計画種別が変更された後には、変更後の計画種別の値を入力すれば運用計画を作成することができる。
これにより、発電所やダムの計画種別が運用形態あるいは季節や時間帯によって変更される場合に、手動計算による運用計画の作成にかかる運用者の負担を低減することができる。
【図面の簡単な説明】
【０００９】
【図１】本発明の実施の形態に係る運用計画作成支援システムの概略構成図である。
【図２】本発明の実施の形態における運用計画作成画面の一例を示す図である。
【図３】本発明の実施の形態に係る運用計画作成支援システムの制御ブロック図である。
【図４】本発明の実施の形態における計算機のハードウェア構成を示すブロック図である。
【図５】本発明の実施の形態における運用計画作成処理を示すフローチャートである。
【図６】入力値の変換処理の詳細を示すフローチャートである。
【図７】出力値の変換処理の詳細を示すフローチャートである。
【図８】連接水系の一例を示す模式図である。
【発明を実施するための形態】
【００１０】
以下、本発明の実施の形態について図面を参照して説明する。
図１は、本発明の実施の形態に係る運用計画作成支援システムの概略構成を示す。この運用計画作成支援システムは、表示装置１０（表示部の一例）と、計算機２０（演算部の一例）を備えている。
【００１１】
表示装置１０には、例えば液晶ディスプレイモニタが用いられている。表示装置１０には、連接水系の複数の水力発電所、ダム若しくは調整池の運用計画が表示される。また、後で図２を用いて説明するように、表示装置１０は、運用者がそれぞれの水力発電所、ダム若しくは調整池の計画種別の選択及び選択した種別の値の入力を行うための入力部としての役割も有している。
【００１２】
計算機２０は、計画値データベース２１と、仮計画データベース２２と、実績値データベース２３と、設定値データベース２４を有している。
計画値データベース２１は、水力発電所、ダム若しくは調整池の作成済みの運用計画の計画値である発電使用水量、放流量（ｍ３／ｓ）を保持するデータベースである。
仮計画データベース２２は、水力発電所、ダム若しくは調整池の運用計画の仮計画値（計画値データベース２１に保存する前の仮の計画値）である発電使用水量、放流量を保持するデータベースである。
【００１３】
実績値データベース２３は、水力発電所、ダム若しくは調整池の既に経過済みの時刻の運用の実績値である発電使用水量、放流量を保持するデータベースである。
設定値データベース２４は、水力発電所、ダム若しくは調整池についての設定値を保持するデータベースである。この設定値には、水力発電所、ダム若しくは調整池の設備データが含まれる。また、この設定値には、水力発電所の発電電力（ＭＷ）と発電使用水量（ｍ３／ｓ）とを相互に変換するための発電電力−使用水量変換テーブルや、ダム若しくは調整池の水位（ｍ）と貯水量（ｍ３）とを相互に変換するための水位−貯水量変換テーブルも含まれる。図中では、発電電力−使用水量変換テーブル、水位−貯水量変換テーブルを「変換テーブル」と略記する。
【００１４】
計算機２０は、計画値データベース２１及び実績値データベース２３内の計画値及び実績値を、表示装置１０の入力部で選択された種別の値に変換して表示装置１０に表示させる。
また計算機２０は、表示装置１０の入力部で入力された値を流量（ｍ３／ｓ）に変換する。そして、変換した流量と、計画値データベース２１、実績値データベース２３及び設定値データベース２４内の計画値、実績値及び設定値とに基づき、水力発電所、ダム若しくは調整池の運用計画の仮計画値である発電使用水量、放流量（ｍ３／ｓ）を計算する。そして計算機２０は、計算した仮計画値を仮計画データベース２２に保存するとともに、計算した仮計画値を、表示装置１０の入力部で選択された種別の値に変換して表示装置１０に表示させる。
【００１５】
図２は、図１の表示装置１０に表示される運用計画作成画面の一例を示す。運用計画作成画面の左側には、連接水系の複数の水力発電所、ダム若しくは調整池の運用計画が表示される。
すなわち、運用計画作成画面の左側の名称及び種別表示欄１１には、運用計画作成の対象となる個々の計画箇所である発電所、ダム若しくは調整池の名称として、例えば、「発電所Ａ」、「発電所Ｂ」、「ダムＣ」、「ダムＤ」が表示される。
【００１６】
また、名称及び種別表示欄１１には、個々の計画箇所の計画種別（発電所であれば発電電力又は発電使用水量、ダムや調整池であれば放流量又は水位）が表示される。図２には、「発電所Ａ」については計画種別として発電電力が「出力」という文字で表示され、「発電所Ｂ」については計画種別として発電使用水量が「使用水量」という文字で表示された状態を示している。また、図２には、「ダムＣ」については計画種別として水位が表示され、「ダムＤ」については計画種別として放流量が表示された状態を示している。
【００１７】
また、運用計画作成画面の左側の計画値表示欄１２には、個々の計画箇所の作成済みの運用計画の計画値及び運用の実績値が１時間単位で表示される。この表示される内容として、名称及び種別表示欄１１に表示された種別の値である発電電力（ＭＷ）、発電使用水量（ｍ３／ｓ）、放流量（ｍ３／ｓ）若しくは水位（ｍ）がある。なお、計画値表示欄１２には、既に経過済みの時刻については運用の実績値が表示され、現在時刻以降の時刻については作成済みの運用計画の計画値が表示される。
【００１８】
運用計画作成画面の右側には、入力部１８として、対象所名選択コンボボックス１３と、入力値種別選択コンボボックス１４と、計画値入力欄１５と、仮計画登録ボタン１６と、仮計画取消ボタン１７が表示される。
対象所名選択コンボボックス１３は、例えば、「発電所Ａ」、「発電所Ｂ」、「ダムＣ」、「ダムＤ」のうちの任意の計画箇所を選択するためのコンボボックスである。
【００１９】
入力値種別選択コンボボックス１４は、対象所名選択コンボボックス１３で選択した計画箇所の計画種別を選択（発電所であれば発電電力又は発電使用水量を選択、ダムや調整池であれば放流量又は水位を選択）するためのコンボボックスである。
計画値入力欄１５は、対象所名選択コンボボックス１３で選択した計画箇所について、現在時刻以降の１時間単位で入力するための欄である。この入力値には、入力値種別選択コンボボックス１４で選択した計画種別の値である発電電力（ＭＷ）、発電使用水量（ｍ３／ｓ）、放流量（ｍ３／ｓ）若しくは水位（ｍ）がある。
【００２０】
対象所名選択コンボボックス１３及び入力値種別選択コンボボックス１４で計画箇所及び計画種別を選択すると、その計画箇所についての名称及び種別表示欄１１には、入力値種別選択コンボボックス１４で選択された計画種別が表示される。
また、対象所名選択コンボボックス１３及び入力値種別選択コンボボックス１４で計画箇所及び計画種別を選択する。これにより、その計画箇所についての計画値表示欄１２には、作成済みの運用計画の計画値及び運用の実績値が、入力値種別選択コンボボックス１４で選択した計画種別で表示される。
【００２１】
また、対象所名選択コンボボックス１３及び入力値種別選択コンボボックス１４で計画箇所及び計画種別を選択した後、計画値入力欄１５中のある時刻の欄に値を入力したとする。すると、その計画箇所についての計画値表示欄１２中の同じ時刻の欄には、それまで表示されていた作成済みの運用計画の計画値に代えて、計画値入力欄１５で入力した値に基づいて計算された運用計画の仮計画値が表示される。この運用計画の仮計画値は、入力値種別選択コンボボックス１４で選択した計画種別に基づく。
【００２２】
また、ある計画箇所の仮計画値を新たに計算すると、それよりも連接水系の下流側の計画箇所にも例えば水位の変化等の影響が及ぶ。そのため、下流側の計画箇所についても、そうした影響を考慮して再計算した仮計画値が計画値表示欄１２に表示される。
【００２３】
仮計画登録ボタン１６、仮計画取消ボタン１７は、計画値表示欄１２に表示された仮計画値に修正が不要なため仮計画値を正式に作成済みの運用計画の計画値として登録するか、又は仮計画値に修正が必要なため仮計画値を取り消すかを決定するためのボタンである。
【００２４】
図３は、図１及び図２に示した運用計画作成支援システムの構成を制御ブロック図として示したものである。計算機２０は、入力された値を流量に変換する変換部２０ａと、流量の仮計画値を計算する計画演算部２０ｂと、流量の仮計画値を選択された計画種別の値に変換する変換部２０ｃを備えている。
【００２５】
表示装置１０の入力部１８で入力された発電電力、発電使用水量、放流量若しくは水位の値が、表示装置１０から計算機２０に送られて変換部２０ａに入力される。変換部２０ａは、この入力された値のうちの流量以外の値である発電電力や水位を、計画値データベース２１、実績値データベース２３及び設定値データベース２４内の計画値、実績値及び設定値を用いて流量に変換する。
【００２６】
計画演算部２０ｂは、変換部２０ａによって変換された流量と、計画値データベース２１及び実績値データベース２３内の計画値及び実績値に基づき、流量の仮計画値を計算する。
変換部２０ｃは、計画演算部２０ｂによって計算された流量の仮計画値を、表示装置１０の入力部１８で選択された計画種別の値に変換して、表示装置１０に送る。表示装置１０では、この変換部２０ｃから送られた仮計画値が、図２の計画値表示欄１２に表示される。
【００２７】
図４は、図１及び図３に示した計算機２０のハードウェア構成を示す。
計算機２０は、いわゆる汎用コンピュータとして用いられるハードウェアである。計算機２０は、バス２８にそれぞれ接続されたＣＰＵ（Central Processing Unit：中央処理装置）２５、ＲＯＭ（Read Only Memory）２６、ＲＡＭ（Random Access Memory）２７を備える。さらに、計算機２０は、バス２８にそれぞれ接続された操作部２９、不揮発性ストレージ３０、ネットワークインタフェース３１を備える。また、バス２８には、図１及び図３に示した表示装置１０も接続されている。
【００２８】
ＣＰＵ２５は、本実施の形態例に係る各機能を実現するソフトウェアのプログラムコードをＲＯＭ２６から読み出して実行する。ＲＡＭ２７には、演算処理の途中に発生した変数やパラメータ等が一時的に書き込まれる。表示装置１０には、計算機２０で行われる処理の結果等が表示される。操作部２９には、例えば、キーボード、マウス等が用いられ、ユーザが所定の操作入力、指示を行うことが可能である。
【００２９】
不揮発性ストレージ３０には、例えば、ＨＤＤ（Hard Disk Drive）、フレキシブルディスク、光ディスク、光磁気ディスク、ＣＤ−ＲＯＭ、ＣＤ−Ｒ、磁気テープ、不揮発性のメモリカード等が用いられる。この不揮発性ストレージ３０には、ＯＳ（Operating System）、各種のパラメータの他に、計算機２０を機能させるためのプログラムが記録されている。ネットワークインタフェース３１には、例えば、ＮＩＣ（Network Interface Card）等が用いられ、端子が接続されたＬＡＮ、専用線、ネットワークのいずれかを介して各種のデータを送受信することが可能である。
【００３０】
図１及び図３に示した各データベース２１〜２４は、図４のＣＰＵ２５が、不揮発性ストレージ３０に記録されたデータを、ＲＯＭ２６から読み出したデータベース管理用のプログラムに基づいて管理することによって実現される。
また、図１及び図３に示した実績値データベース２３及び設定値データベース２４に保持される実績値及び設備データは、図４のＣＰＵ２５が、水力発電所、ダム若しくは調整池の運用を管理する機器からネットワークインタフェース３１を介して受信する。
【００３１】
また、図３に示した変換部２０ａ、計画演算部２０ｂ及び変換部２０ｃは、図４のＣＰＵ２５が、ＲＯＭ２６から読み出した運用計画作成用のプログラムに基づいて演算等を行うことによって実現される。
また、図２に示した表示装置１０の運用計画作成画面の入力部１８に対する操作は、図４の操作部２９によって行われる。
【００３２】
次に、本発明の実施の形態に係る運用計画作成支援システムによる運用計画作成の手順について説明する。
図５は、図１、図３及び図４に示した計算機２０が実行する運用計画作成処理を示すフローチャートである。
まず計算機２０は、表示装置１０に、図２に示したような運用計画作成画面を表示させる（ステップＳ１０１）。ただし、ステップＳ１０１の時点では、計画値表示欄１２には計画値及び実績値を表示させない。また、名称及び種別表示欄１１には、計画種別として、それぞれの計画箇所について入力値種別選択コンボボックス１４で直前に選択されていた計画種別を表示させる。
【００３３】
次に計算機２０は、図１及び図３に示した計画値データベース２１、実績値データベース２３及び設定値データベース２４から、それぞれの計画箇所についての現在の計画値及びの実績値である発電使用水量及び放流量と、設定値を取得する（ステップＳ１０２）。
【００３４】
そして計算機２０は、取得した現在の計画値及び実績値を、それぞれの計画箇所について入力値種別選択コンボボックス１４で直近に選択された計画種別の値に変換する処理である「出力値の変換」を行う（ステップＳ１０３）。
そして計算機２０は、ステップＳ１０３の「出力値の変換」によって変換した現在の計画値及び実績値を、それぞれの計画箇所についての計画値表示欄１２に表示させる（ステップＳ１０４）。
【００３５】
次に計算機２０は、対象所名選択コンボボックス１３及び入力値種別選択コンボボックス１４で新たに計画箇所及び計画種別が選択されるまで待機して、選択結果を取得する（ステップＳ１０５）。運用者が、いずれかの計画箇所の計画値表示欄１２に表示された現在の計画値を見て、運用計画を変更する必要があると判断し、その計画箇所を選択するとともに計画種別を選択すると、その選択結果がステップＳ１０５で取得されることになる。
【００３６】
次に計算機２０は、新たに選択された計画種別が、新たに選択された計画箇所について計画値表示欄１２に現在表示している計画値及び実績値の計画種別と同じであるか否かを比較する（ステップＳ１０６）。
【００３７】
ステップＳ１０６での比較の結果、計画種別が異なる場合がある。この場合に計算機２０は、新たに選択された計画箇所について計画値表示欄１２に表示している現在の計画値及び実績値を、ステップＳ１０５で選択結果を取得した計画種別の値に変換する処理である「出力値の変換」を行う（ステップＳ１１４）。
【００３８】
そして計算機２０は、ステップＳ１１４の「出力値の変換」によって変換した現在の計画値及び実績値を、新たに選択された計画箇所についての計画値表示欄１２に表示させる。また計算機２０は、この「出力値の変換」によって変換した現在の計画値を、計画値入力欄１５にも表示させる（ステップＳ１１５）。なお、ステップＳ１１５では、新たに選択された計画箇所について計画値表示欄１２に表示させる計画値及び実績値の計画種別が変わる。この変化に伴い、当該計画箇所についての名称及び種別表示欄１１にも、計画種別として、入力値種別選択コンボボックス１４で新たに選択された計画種別を表示させる。
【００３９】
次に計算機２０は、計画値入力欄１５で新たに値が入力されるまで待機して、入力された値を取得する（ステップＳ１０７）。ステップＳ１０６での比較の結果、種別が同じであった場合は、ステップＳ１０６からそのままステップＳ１０７に進む。運用者が、ステップＳ１１５で計画値入力欄１５に表示された現在の計画値を見て、いずれかの時刻の計画値を変更するために計画値入力欄１５中のその時刻の欄に新たな値を入力すると、その入力値がステップＳ１０７で取得されることになる。
【００４０】
次に計算機２０は、計画値入力欄１５で新た入力された値を流量に変換する処理である「入力値の変換」を行う（ステップＳ１０８）。
そして計算機２０は、この「入力値の変換」によって変換した流量を用いて、流量の仮計画値を計算する（ステップＳ１０９）。このステップＳ１０９では、変換した流量と、新たに選択された計画箇所についての計画値データベース２１及び実績値データベース２３内の現在時刻までの流量の計画値及び実績値とに基づき、流量の仮計画値を計算する。また、ある計画箇所の仮計画値を新たに計算すると、それよりも連接水系の下流側の計画箇所にも例えば水位の変化等の影響が及ぶ。そのため、ステップＳ１０９では、下流側の計画箇所についても、そうした影響を考慮して流量の仮計画値を再計算する。
【００４１】
次に計算機２０は、計算した流量の仮計画値を、仮計画データベース２２に保存する（ステップＳ１１０）。
次に計算機２０は、計算した流量の仮計画値を、ステップＳ１０５で選択結果を取得した計画種別の値に変換する処理である「出力値の変換」を行う（ステップＳ１１１）。
そして計算機２０は、ステップＳ１１１の「出力値の変換」によって変換した仮計画値を表示させる。この表示箇所は、ステップＳ１０５で選択結果を取得した計画箇所及びその下流側の計画箇所についての計画値表示欄１２中の、ステップＳ１０７で新たに入力値を取得した計画値入力欄１５中の時刻の欄と同じ時刻の欄となる（ステップＳ１１２）。
【００４２】
次に計算機２０は、仮計画値の修正の有無の判断、すなわち、仮計画登録ボタン１６、仮計画取消ボタン１７のうちのいずれが操作されたかの判断を行う（ステップＳ１１３）。
修正が不要な場合、計算機２０は、仮計画データベース２２に保存した流量の仮計画値を、作成済みの計画値として計画値データベース２１に保存して（ステップＳ１１６）、処理を終了する。
他方、修正が必要な場合、計算機２０は、ステップＳ１０５以降の処理を繰り返す。
【００４３】
図６は、図５の運用計画作成処理のうちのステップＳ１０８の「入力値の変換」の詳細を示すフローチャートである。
まず計算機２０は、図５のステップＳ１０７で取得した入力値の計画種別（すなわち図５のステップＳ１０５で選択結果を取得した計画種別）を判定する（ステップＳ１２１）。
【００４４】
入力値の計画種別が放流量又は発電使用水量である場合、それらは流量（ｍ３／ｓ）であり変換の必要はないため、計算機２０は、そのまま「入力値の変換」を終了して図５のステップＳ１０９に進む。
【００４５】
入力値の計画種別が発電電力である場合、計算機２０は、設定値データベース２４から発電電力−使用水量変換テーブルを取得する（ステップＳ１２２）。
そして計算機２０は、入力された発電電力（ＭＷ）を、発電電力−使用水量変換テーブルを用いて使用水量（ｍ３／ｓ）に変換し（ステップＳ１２３）、「入力値の変換」を終了して図５のステップＳ１０９に進む。
【００４６】
入力値の計画種別が水位である場合、計算機２０は、この水位の値を入力された計画箇所（図５のステップＳ１０５で選択結果を取得した計画箇所）について、設定値データベース２４から設備データの１つである初期水位（当日の０時の水位）のデータを取得する。また計算機２０は、計画値データベース２１及び実績値データベース２３から現在の計画値及び実績値を取得する（ステップＳ１２４）。
また計算機２０は、設定値データベース２４から水位−貯水量変換テーブルを取得する（ステップＳ１２５）。
【００４７】
次に計算機２０は、この水位の値を入力された計画箇所について、水位の値を入力された時間の１時間前の貯水量（ｍ３）を計算する（ステップＳ１２６）。水位の値を入力された時間の１時間前とは、例えば計画値入力欄１５中の１７時の欄に水位の値が入力された場合は、１６時である。このステップＳ１２６の計算は、当該計画箇所の初期水位（ｍ）を、水位−貯水量変換テーブルを用いて貯水量（ｍ３）に変換し、その貯水量（ｍ３）に対し、当該計画箇所の計画値及び実績値による１時間前までの流入量及び流出量を加減算することによって行う。
【００４８】
次に計算機２０は、図５のステップＳ１０７で取得した水位の入力値（ｍ）を、水位−貯水量変換テーブルを用いて貯水量（ｍ３）に変換する（ステップＳ１２７）。
次に計算機２０は、この変換した貯水量（ｍ３）と、ステップＳ１２６で計算した１時間前の貯水量（ｍ３）との差分を求める（ステップＳ１２８）。
そして計算機２０は、求めた貯水量の差分（ｍ３）を３６００秒で除算することにより、１秒あたりの放流量（ｍ３／ｓ）を算出する（ステップＳ１２９）。
【００４９】
例えば、ステップＳ１２６で計算した１時間前の貯水量が１２２０００ｍ３、ステップＳ１２７で変換した貯水量が５００００ｍ３であったとする。その場合、ステップＳ１２８で求められる差分は７２０００ｍ３であり、ステップＳ１２９では７２０００ｍ３を３６００秒で除算して放流量２０ｍ３／ｓが算出される。
【００５０】
ステップＳ１２９で放流量を算出すると、計算機２０は、「入力値の変換」を終了して図５のステップＳ１０９に進む。
【００５１】
図７は、出力値の変換処理の詳細を示すフローチャートである。このフローチャートでは、図５の運用計画作成処理のうちのステップＳ１０３、Ｓ１１１、Ｓ１１４の「出力値の変換」の詳細を示す。なお、ステップＳ１１４の「出力値の変換」は、ステップＳ１０４で計画値表示欄１２に放流量又は発電使用水量を表示させた計画箇所についてステップＳ１０５で計画種別の選択結果として水位又は発電電力を取得した場合に行われる処理である。
【００５２】
まず計算機２０は、入力値種別選択コンボボックス１４で選択された計画種別を判定する（ステップＳ１３１）。入力値種別選択コンボボックス１４で選択された計画種別とは、ステップＳ１０３の「出力値の変換」では、入力値種別選択コンボボックス１４で直近に選択された計画種別である。また、入力値種別選択コンボボックス１４で選択された計画種別とは、ステップＳ１１１、Ｓ１１４の「出力値の変換」では、図５のステップＳ１０５で選択結果を取得した計画種別である。
【００５３】
選択された計画種別が放流量又は発電使用水量である場合、それらは流量（ｍ３／ｓ）であり変換の必要はないため、計算機２０は、そのまま「出力値の変換」を終了して図５の次のステップに進む。
【００５４】
選択された計画種別が発電電力である場合、計算機２０は、設定値データベース２４から発電電力−使用水量変換テーブルを取得する（ステップＳ１３２）。
そして計算機２０は、発電電力−使用水量変換テーブルを用いて発電使用水量（ｍ３／ｓ）を発電電力（ＭＷ）に変換し（ステップＳ１３３）、「出力値の変換」を終了して図５の次のステップに進む。
【００５５】
選択された計画種別が水位である場合、計算機２０は、この水位を選択された計画箇所について、設定値データベース２４から設備データの１つである初期水位（当日の０時の水位）のデータを取得する。また計算機２０は、計画値データベース２１及び実績値データベース２３から現在の計画値及び実績値を取得する（ステップＳ１３４）。
また計算機２０は、設定値データベース２４から水位−貯水量変換テーブルを取得する（ステップＳ１３５）。
【００５６】
次に計算機２０は、水位を選択された計画箇所について、水位を表示する時間（例えば計画値表示欄１２中の５時の欄に水位を表示する場合は５時）の貯水量を計算する（ステップＳ１３６）。この計算は、当該ダム若しくは調整池の初期水位（ｍ）を、水位−貯水量変換テーブルを用いて貯水量（ｍ３）に変換し、その貯水量（ｍ３）に対し、当該計画箇所の計画値及び実績値による水位の表示時間までの流入量及び流出量を加減算することによって行う。
【００５７】
例えば、ステップＳ１３６において、初期水位が１０ｍ、初期水位から変換した貯水量が５万ｍ３、水位を表示する時間が５時、計画値及び実績値による５時までの流入量の平均が１０ｍ３／ｓであったとする。その場合、初期水位であった０時からの経過時間が５時間（１８０００秒）なので、ステップＳ１３６では、５万ｍ３に１０ｍ３／ｓ×１８０００秒＝１８万ｍ３を加算して貯水量２３万ｍ３が算出される。
【００５８】
次に計算機２０は、計算した貯水量（ｍ３）を、水位−貯水量変換テーブルを用いて水位（ｍ）に変換し（ステップＳ１３７）、「出力値の変換」を終了して図５の次のステップに進む。
【００５９】
なお、図５の運用計画作成処理のステップＳ１０４で計画値表示欄１２に水位また発電電力を表示させた計画箇所について、ステップＳ１０５で計画種別の選択結果として放流量又は発電使用水量を取得する場合もあり得る。その場合、ステップＳ１１４の「出力値の変換」では、計算機２０は、放流量又は発電使用水量を、そのまま計画値表示欄１２に表示する値として選択する。この放流量又は発電使用水量は、計画値データベース２１及び実績値データベース２３から所得した当該計画箇所についての現在の計画値及び実績値である。そして、計算機２０は、「出力値の変換」を終了して図５のステップＳ１１５に進む。
【００６０】
図８は、本発明の実施の形態に係る運用計画作成支援システムによる運用計画作成の対象となる連接水系の一例を模式的に示している。この連接水系にはダム４０Ａ、ダム４０Ｂ、ダム４０Ｃ及び水力発電所４１が存在している。水力発電所４１には、ダム４０Ａの放流量が流入している。ダム４０Ｃには、水力発電所４１の発電使用水量と、ダム４０Ｂの放流量が流入している。
【００６１】
この図８の連接水系に対し、運用者が、まずダム４０Ｃの水位を目標とする水位まで段階的に下げて行くようなダム４０Ｃの運用計画を作成したいとする。
その場合、従来の放流量を固定して入力する運用計画作成支援システムでは、水力発電所４１とダム４０Ｂからの流入量やダム４０Ｃの貯水量を別途計算する。その後、ダム４０Ｃの放流量を算出して入力するか、又は、ダム４０Ｃの水位が目標に近づくように、ダム４０Ｃの放流量を複数回修正しながら検証する必要があった。
【００６２】
しかし、本発明の実施の形態に係る運用計画作成支援システムによれば、表示装置１０の運用計画作成画面において、対象所名選択コンボボックス１３でダム４０Ｃを選択し、入力値種別選択コンボボックス１４で水位を選択する。そして、計画値入力欄１５で目標とする水位の値を入力すれば、ダム４０Ｃの必要な放流量が計算され、運用計画が作成される。
【００６３】
次に、運用者が、例えば１時〜１５時は水位によるダム４０Ｃの運用計画、１６時〜２４時は放流量によるダム４０Ｃの運用計画を作成したいとする。
その場合、まず、入力値種別選択コンボボックス１４で水位を選択して計画値入力欄１５のうち１時〜１５時の欄に水位の値を入力すれば、１時〜１５時は水位によるダム４０Ｃの運用計画が作成される。
【００６４】
そして、入力値種別選択コンボボックス１４で選択する計画種別を放流量に切り替えて、計画値入力欄１５のうち１６時〜２４時の欄に放流量の値を入力すれば、１６時〜２４時は放流量によるダム４０Ｃの運用計画が作成される。
【００６５】
水力発電所４１についても、同様に、運用者が、例えば１時〜１２時は発電電力による運用計画、１３時〜２４時は発電使用水量による運用計画を作成したいとする。
その場合も、対象所名選択コンボボックス１３で水力発電所４１を選択し、まず、入力値種別選択コンボボックス１４で発電電力を選択して計画値入力欄１５のうち１時〜１２時の欄に発電電力の値を入力する。これにより、１時〜１２時は発電電力による水力発電所４１の運用計画が作成される。
【００６６】
そして、入力値種別選択コンボボックス１４で選択する計画種別を発電使用水量に切り替えて、計画値入力欄１５のうち１３時〜２４時の欄に発電使用水量の値を入力すれば、１３時〜２４時は発電使用水量による水力発電所４１の運用計画が作成される。
【００６７】
また、ダム４０Ａ〜４０Ｃについて、計画値入力欄１５で入力を行った後、入力値種別選択コンボボックス１４で選択する計画種別を切り替えれば、図５の運用計画作成処理のステップＳ１０４若しくはステップＳ１１５まで実行される。そして、計画値表示欄１２にダム４０Ａ〜４０Ｃの水位と放流量が切り替えて表示される。
【００６８】
水力発電所４１の場合も、同様に、計画値入力欄１５で入力を行った後、入力値種別選択コンボボックス１４で選択する計画種別を切り替えれば、計画値表示欄１２に水力発電所４１の発電電力と発電使用水量が切り替えて表示される。
これにより、ダム４０Ａ〜４０Ｃの水位と放流量の値を相互に確認しながら運用計画を作成することや、水力発電所４１の発電電力と発電使用水量の値を相互に確認しながら運用計画を作成することが可能となる。
【００６９】
以上のように、本発明の実施の形態によれば、運用者が入力部１８で任意の計画種別を選択して値を入力すれば、その入力した値が流量に変換されて、発電所、ダム若しくは調整池の運用の仮計画値が計算される。したがって、発電所、ダム若しくは調整池の計画種別が変更される前は、変更前の計画種別を選択して値を入力すれば運用計画を作成することができる。そして、発電所、ダム若しくは調整池の計画種別が変更された後には、変更後の計画種別を選択して値を入力すればやはり運用計画を作成することができる。
【００７０】
また、現在の計画値及び実績値や、計算された仮計画値が、運用者が入力部１８で選択した計画種別の値に変換されて表示装置１０に表示される。
これにより、発電所、ダム若しくは調整池の計画種別が運用形態あるいは季節や時間帯によって変更される場合に、手動計算による運用計画の作成にかかる運用者の負担を低減することができる。
【００７１】
以上、本発明の実施の形態について説明した。しかし、本発明は、上述の実施の形態に限定されるものではなく、特許請求の範囲に記載した発明の要旨を逸脱しない範囲内で、種々の変形実施が可能である。
【００７２】
例えば、上述の実施の形態では、表示装置１０の画面に入力部１８を表示する例を説明したが、表示装置１０とは別の操作パネル等の装置によって入力部を構成してもよい。
【００７３】
また、上述の実施の形態では、汎用コンピュータである計算機２０によって運用計画を作成する演算を行う例を説明したが、汎用コンピュータの代わりに組み込みシステムによって運用計画を作成する演算を行ってもよい。
【００７４】
また、上述の実施の形態では、入力部１８で計画種別を選択して入力された値のうちの発電電力、水位を発電使用水量、放流量に変換して仮計画値を計算する例を説明した。しかし、入力部１８で計画種別を選択して入力された値のうちの発電使用水量、放流量を発電電力、水位に変換して仮計画値を計算してもよい。
【００７５】
なお、本発明は上述した実施の形態に限られるものではなく、特許請求の範囲に記載した本発明の要旨を逸脱しない限りその他種々の応用例、変形例を取り得ることは勿論である。
例えば、上述した実施の形態は本発明を分かりやすく説明するために装置及びシステムの構成を詳細且つ具体的に説明したものであり、必ずしも説明した全ての構成を備えるものに限定されるものではない。また、ある実施例の構成の一部を他の実施例の構成に置き換えることは可能であり、更にはある実施例の構成に他の実施例の構成を加えることも可能である。また、各実施例の構成の一部について、他の構成の追加、削除、置換をすることも可能である。
また、制御線や情報線は説明上必要と考えられるものを示しており、製品上必ずしも全ての制御線や情報線を示しているとは限らない。実際には殆ど全ての構成が相互に接続されていると考えてもよい。
【符号の説明】
【００７６】
１０…表示装置、１８…入力部、２０…計算機、２０a…変換部、２０ｂ…計画演算部、２０ｃ…変換部、２１…計画値データベース、２２…仮計画データベース、２３…実績値データベース、２４…設定値データベース、４０Ａ〜４０Ｃ…ダム、４１…水力発電所
【図１】
2015198553.tif 000003
【図２】
2015198553.tif 000004
【図３】
2015198553.tif 000005
【図４】
2015198553.tif 000006
【図５】
2015198553.tif 000007
【図６】
2015198553.tif 000008
【図７】
2015198553.tif 000009
【図８】
2015198553.tif 000010